(57)【要約】光ファイバーをクリービングさせるための機構は、光ファイバー・クリービング手段を有しており、並びに、光ファイバーを把握すること、及び該光ファイバーをクリービングする際に、該光ファイバーに張力を適用することを行うように設けられたグリップ手段を有している。グリップ手段Ｃは、光ファイバーがクリービングされると、レセプタクル４９の中に光ファイバーＦのクリービングした部分を排出するように設けられており、及び／又はクリービングの間に、グリップ手段から離れている回転可能なダブルアンビル４７によって、光ファイバーＦは曲げられる。
2008529097.tif 000002
【特許請求の範囲】
【請求項１】
光ファイバー・クリービング手段及び１又はそれ以上のグリップ手段を有してなる、光ファイバーのクリービングを行うための機構であって、該グリップ手段は光ファイバーをグリップすること、及び該光ファイバーをクリービングする際に、該光ファイバーに張力を適用することを行うように設けられており、前記グリップ手段は光ファイバーのクリービングが終了すると、該光ファイバーのクリービングした部分を排出するように設けられていることを特徴とする機構。
【請求項２】
光ファイバーのクリービングを行った後に、光ファイバーのクリービングした部分に張力を適用し続けるグリップ手段によって、光ファイバーのクリービングした部分を排出することを特徴とする請求項１に記載の機構。
【請求項３】
光ファイバーのクリービングを行った後に、グリップ手段が光ファイバーのクリービングした部分を離すことを特徴とする請求項２に記載の機構。
【請求項４】
グリップ手段が、該グリップ手段によって把握される光ファイバーの長軸に対して実質的に垂直に配向された軸回りで、ピボット回転するように配置されていることを特徴とする請求項１〜３のいずれかに記載の機構。
【請求項５】
前記グリップ手段によって光ファイバーへ適用される張力は、前記グリップ手段へピボット回転する回転力を適用することによって適用されることを特徴とする請求項４に記載の機構。
【請求項６】
前記グリップ手段は一対の対向するグリップ部材を有してなり、該グリップ部材どうしの間に光ファイバーを挟むことによって光ファイバーをグリップするように設けられていることを特徴とする請求項１〜５のいずれかに記載の機構。
【請求項７】
クリービング機構が作動する際に、グリップ手段が光ファイバーをグリップするまで、グリップ手段にバイアス力が付与されて、グリップ手段によってグリップされるべき光ファイバーが前記グリップ部材どうしの間に位置し得る開いた状態をとることを特徴とすることを特徴とする請求項１〜６のいずれかに記載の機構。
【請求項８】
グリップ手段は、光ファイバーの長軸に対して実質的に垂直な枢軸まわりで角運動することができる対向するレバーを有しており、前記レバーの対向する端部どうしは離れており、該レバーは、クリービングすべき光ファイバーを受容することができるギャップを提供する第１の位置から、前記対向する端部どうしが（前記第１の位置よりも）より閉じており、光ファイバーのクリービングの際に前記ギャップ内に配置された光ファイバーをグリップし及び該光ファイバーに張力を適用する第２の位置へ角運動することができ、前記レバーは（前記第２の位置よりも）前記対向端部どうしが更に離れた第３の位置へ、前記第２の位置を越えて更に軸回りで回転することができ、それによって光ファイバーのクリービングした部分が排出されることを特徴とする請求項１〜７のいずれかに記載の機構。
【請求項９】
クリービング機構の動作によって、レバーの角運動が影響を受けることを特徴とする請求項８に記載の機構。
【請求項１０】
前記グリップ手段から排出される光ファイバーのクリービングした部分を受容するように配置された排出レセプタクルを更に有してなることを特徴とする請求項１〜９のいずれかに記載の機構。
【請求項１１】
光ファイバー・クリービング手段がブレードを有することを特徴とする請求項１〜１０のいずれかに記載の機構。
【請求項１２】
前記ブレードは、光ファイバーをスコアするように設けられたスコアリング・ブレードを有してなることを特徴とする請求項１１に記載の機構。
【請求項１３】
光ファイバーをスプライスするためのデバイス内において、光ファイバー・スプライシング機構と組み合わせられることを特徴とする請求項１〜１２のいずれかに記載の機構。
【請求項１４】
光ファイバー・クリービング手段、並びに光ファイバーをグリップすること、及び該光ファイバーをクリービングする際に該光ファイバーに張力を適用することを行うように設けられるグリップ手段を有してなる光ファイバーをクリービングさせる機構であって、前記光ファイバー・クリービング手段は、光ファイバーをクリービングする際に光ファイバーを曲げるための、対向して作用する２つの光ファイバー偏向表面を有する回転可能な光ファイバー偏向部材と組み合わせられていることを特徴とする機構。
【請求項１５】
回転可能な光ファイバー偏向部材は、光ファイバークランプ部材から離れていることを特徴とする請求項１４に記載の機構。
【請求項１６】
回転可能な光ファイバー偏向部材は、回転可能なダブルアンビルであることを特徴とする請求項１４又は１５に記載の機構。
【請求項１７】
請求項１〜１３のいずれかと組み合わせられることを特徴とする請求項１４〜１６のいずれかに記載の機構。
【発明の詳細な説明】
【技術分野】
【０００１】
本発明は、光ファイバーをスプライスするためのデバイス、特に、手持ち式携行ツールの形態のデバイスに関する。本発明は、光ファイバーのクリービング（cleaving）を行うための機構、特に、スプライシング・デバイスによってスプライスするために好適な光ファイバーの端面（end facet）を形成するための機構にも関する。
【背景技術】
【０００２】
光ファイバーを相互にスプライスするための基本的な方法には、機構的スプライシング（mechanical splicing）、及び溶融スプライシング（fusion splicing）の２つの方法が知られている。機構的スプライシングは、動力ツールを用いることを必要としない点で、従って、例えばスプライシングが必要とされるネットワーク内の位置に応じて、顧客の施設内で又は屋外環境で、光通信ネットワークを使用するその場にて（in situ、又は現場にて）、好適に使用されるという利点を有している。信頼性の高い機構的スプライシングを形成することもできるが、機構的スプライシングには、溶融スプライシングの長期間の信頼性又は低光学損失を提供しないものもしばしばある。従って、多くの場合に、機構的スプライシングよりも溶融スプライシングが好まれる。
【０００３】
溶融スプライシングは、（例えば、光ファイバーの端部に適用される放電によって）光ファイバーの端部を互いに溶融させるものであって、電力を必要とする。電池駆動式の手持ち式携行溶融スプライシングツールは知られており、現場にて溶融スプライシングを形成するために用いられている。しかしながら、携行性の問題点はそのような携行式のスプライシングツールによって部分的に解決されているが、溶融スプライシングを現場にて形成することに伴うもう１つの問題点が残されている。それは、端面どうしの間に満足できる溶融スプライスを形成することができるような光ファイバーの端面を調製するということである。満足できる溶融スプライスを形成するために、光ファイバーの端面を高品質の清浄化端面に形成することが必要である。このことは、光ファイバーをクリービングしてその既存の端面を除去し、新たな高品質の端面を形成することを必要とする。携行式の光ファイバー・クリービングツールは知られているが、高品質の溶融スプライシングを形成するための十分に高い品質の光ファイバー端面を形成するためには、携行式のクリービングツールのための安定な作業台（working platform）が一般に必要とされる。その結果、一旦、光ファイバーをクリービングすると、クリーバーが一側にある必要があり、クリーブした光ファイバーをスプライシングツールに移さなければならない。
【０００４】
本発明は、上記の問題点を解決すること、及び、信頼性があり使い勝手のよい方法で、現場で純粋に高品質の溶融スプライシングを形成することができることを目的とする。
【０００５】
従って、本願発明の第１の要旨は、光ファイバー・クリービング手段及び１又はそれ以上のグリップ手段を有してなる、光ファイバーのクリービングを行うための機構であって、該グリップ手段は光ファイバーをグリップすること、及び該光ファイバーをクリービングする際に、該光ファイバーに張力を適用することを行うように設けられており、前記グリップ手段は光ファイバーのクリービングが終了すると、該光ファイバーのクリービングした部分を排出するように設けられていることを特徴とする機構を提供する。
【０００６】
この発明の好ましい態様例は、光ファイバー・スプライシング機構と光ファイバー・クリービング機構とを１つのデバイスに組み合わせることによって、クリービング・デバイスからクリービングした光ファイバーを独立したスプライシング・デバイスに（汚染及び損傷のおそれを伴って）移動させるという問題を防止するという利点を有する。
【０００７】
本発明の好ましい態様例において、デバイスの光ファイバー・スプライシング機構は、光ファイバーどうしの間に溶融スプライスを形成する溶融スプライシング機構である。従って、スプライシング機構は、光ファイバーどうしの間に溶融スプライシングを形成するための放電を供給するように設けられた電極を有し得る。
【０００８】
好ましくは、このデバイスの光ファイバー・クリービング機構は、光ファイバーをクリービングして、光ファイバー・スプライシング機構によってもう１つ光ファイバー端部にスプライシングすることが好適な光ファイバーの端部を形成するように設けられている。より好ましくは、クリービング機構は、光ファイバーをクリービングして、光ファイバーの長軸に対して実質的に垂直な光ファイバーの端面を形成するように設けられている。
【０００９】
有利な場合には、光ファイバー・クリービング機構は、光ファイバー・クリービング手段、特に光ファイバー・クリービング部材、例えばブレード、特に、光ファイバーを刻むように（又はスコア（score）するように）配されているスコアリング・ブレードを有してなり、クラックを生じさせて光ファイバーを通って伝播させ、それによって光ファイバーをクリービングさせることができる光ファイバー・クリービング手段を有することができる。スコアリング・ブレードは、スコアリング・ホイールを有することが好ましい。スコアリング・ホイールには、例えば、ダイアモンドブレード、又はその代わりに（例えば）ダイアモンドから形成されたスコアリング・ブレードの形態のものを用いることができる。追加的に又は別法として、光ファイバー・クリービング機構は、光ファイバーをクリービングする間（例えば、光ファイバーをスコアリング・ブレードによってスコアする間）に、光ファイバーを曲げさせることができるアンビル（anvil）を有することができる。光ファイバー・クリービング機構は、１又はそれ以上の光ファイバー・グリッピング部材及び／又はサポーティング部材を有することができ、光ファイバーをクリービングする間に、該光ファイバーをグリップ（又は把握）し及び／又はサポート（又は支持）することができる。
【００１０】
好ましくは、光ファイバーのクリービングされた部分は、光ファイバーがクリービングされた後に、光ファイバーのクリービングされた部分に張力を適用し続けるグリッピング部材によって排出される。該又は各グリッピング部材は、光ファイバーがクリービングされた後に、光ファイバーのクリービングした部分へのグリップを離すことが好ましい。
【００１１】
該又は各グリッピング部材は、グリッピング部材によってグリップされる光ファイバーの長軸に対して実質的に垂直に配向される軸回りで、枢軸回転（ピボット回転動作（pivot))することができるように設けられることが好ましい。グリッピング部材によって光ファイバーに適用される張力は、例えば、グリッピング部材への枢軸回転の回転力によって適用されるものであってよい。
【００１２】
グリッピング部材は、一対の対向するグリップ手段（部材）を有してなり、それらの間に光ファイバーを挟むことによって光ファイバーを把握するように設けることができる。
【００１３】
グリップ手段には、バイアス力が付与されて、クリービング機構が作動して、グリップ手段が光ファイバーをグリップするまで、グリップ手段によって把握されるべき光ファイバーが前記グリップ手段（部材）どうしの間に位置し得るオープン位置（又は開いた状態（open position))を採用することが好ましい。
【００１４】
本発明の光ファイバー・クリービング機構又はスプライシング・デバイスは、グリッピング部材から排出される光ファイバーのクリービングした部分を受容するように設けられた排出物レセプタクル（waste receptacle）を有することができる。
【００１５】
本発明の特に好ましい態様例において、デバイスは、該デバイスによってクリービングされ及びスプライスされる光ファイバーをクランプするために、１又はそれ以上の独立したクランピング・ブロックを更に有することができる。該デバイスは、光ファイバーのクリービング及び／又はスプライシングの間に、光ファイバーをクランプするクランピング・ブロックを保持するように設けられた１又はそれ以上の保持手段を有することができる。追加的に又は別法として、保持手段は、光ファイバーの端部をスプライシング機構によって一体にスプライスすることができるように、クランピング・ブロックによってクランプされた光ファイバーの端部に対して位置するように設けることができる。
【００１６】
本発明は、１つの態様例において、光学的モニタリング・システムを有することができる。そのシステムによれば、クランピング・ブロックによってクランプされた光ファイバーの端部の近接性（若しくはプロキシミティ（proximity))及び／又はアラインメント（若しくは位置合わせ（alignment))を、例えば、少なくとも１つの光ファイバーを通して送られる光によってモニタリングすることができる。そのようなモニタリング・システムは、当業者にはよく知られている。デバイスは、クランピング・ブロックによってクランプされた光ファイバーの端部の近接性及び／又はアラインメントを、例えば、モニタリング・システムによって得られる近接性及び／又はアラインメント情報を用いる保持手段によって制御するコントロールシステムを有することができる。有利な場合には、デバイス、特に保持手段は、クランピング・ブロックによってクランプされた光ファイバーの端部に位置する圧電性（piezoelectric）機構（又はその他の機構）を有することができる。
【００１７】
好ましくは、デバイス又は機構は、携行式ツール、特に手持ち式の携行ツールである。
【００１８】
好ましくは、クリービング機構及び／又はスプライシング機構は、電動式（若しくは電気駆動式）、最も好ましくはバッテリー（電池）駆動式のものである。
以下、いくつかの本発明の好ましい態様を、図面を参照して例によって説明する。
【００１９】
図１Ａ及び１Ｂは、本発明の第１の態様例における手持ち携行式スプライシング・デバイスを示している。スプライシング・デバイスは、光ファイバー・スプライシング機構３及び光ファイバー・クリービング機構５を有している。
【００２０】
光ファイバー・クリービング機構５は、図２及び３に最も明確に示されている。光ファイバー・クリービング機構５は、スコアリング・ホイール７の形態のスコアリング・ブレードを有しており、該スコアリング・ホイール７は、該デバイスによって保持される光ファイバー９に接近し及びスコア（score）する（又は刻みを付ける）ことができるように、実質的にホイールの面内で動くことができる。図示するように、光ファイバー９は、それがクランプされるクランピング・ブロック１１を有している。クランピング・ブロック１１は、主体部分１３と、該主体部分１３に対して（例えば、磁気的作用によって、尤もその他の取付け手段（attachment mechanism）も採用され得る）脱着可能な２つの補助部分１５とを有している。クランピング・ブロック１１は、主体部分１３と各補助部分１５との間に、光ファイバー９をクランプする。クランピング・ブロック１１は（それにクランプされている光ファイバーと共に）、スプライシング・デバイス１内のレシービング・スロット１７の形態の保持手段の中に挿入されており、従って光ファイバー９の端部はデバイスのアパーチャ１９内に受け入れられ及びクランプされている。クランピング・ブロック１１及び光ファイバー９が（図２及び３に示すような）上述のように配置されると、クランピング・ブロック１１とアパーチャ１９との間に延びる光ファイバー９の部分２１は、スコアリング・ホイール７に対して実質的に垂直に配向される。その後、図３に示すように、（好ましくは、キーパッド２３によって、電子的に）光ファイバー・クリービング機構が作動して、スコアリング・ホイールが光ファイバー９に接近して、光ファイバーのスコアリングが行われる。光ファイバー９のクリービングは、光ファイバーの部分２１を屈曲させて、光ファイバーのスコアリングした表面から光ファイバーを通ってクラックの伝播を生じさせる、クリービング機構の（図示しない）アンビル（anvil）によって完了する。クリービング（cleaving）によって、光ファイバー９の長軸に対して実質的に垂直な、光ファイバー９の新しい端面が形成される。
【００２１】
再び図１Ａ及び１Ｂを参照すると、デバイス１のスプライシング機構３は、ピボット（若しくはピボット回転）スクリーン２５によって、クリービング機構５から分画されている。光ファイバーが一旦クリービングされると、それによって光ファイバーの新しい垂直な端面が形成され、クランピング・ブロック／光ファイバー・アセンブリはクリービング機構５から手動操作にて引き離されて、スプライシング機構３に取り付けられる。（クランピング・ブロック１１は、その後のスプライシング操作のために、光ファイバー９にクランプされた状態で残されている。）スプライシング機構３は、（図示するように、全体として、溝（groove）の形態の）精密ステージ（precision stage）２７の形態である保持手段を有している。上述した操作と同じ操作にて、第２の光ファイバーをクリービングすると、そのクランピング・ブロック／光ファイバー・アセンブリ（即ち、光ファイバーはクランピング・ブロックにクランプされたままの状態である）は、クリービング機構５から手動操作にて引き離され、２つの光ファイバーの新しい端面が相互に向かい合うように配向されて、スプライシング機構３の精密ステージ２７に取り付けられる。（即ち、第２の光ファイバーは、第１の光ファイバーに対して、正確に反対方向を向いて（即ち、１８０度の向きで）配向される。）
【００２２】
次に、スプライスされる２つの光ファイバー９は、精密ステージ２７によって、正確に対向する（face-to-face）近接性となるように位置合わせ及び設定され、溶融スプライシングされる。各光ファイバーはそれぞれ、精密ステージ２７上において、圧電性機構又はその他の機構（例えば、電気モータ）によって動かされるクランピング・ブロック１１によって、相互に動かされる。２つの光ファイバーの正確な位置合わせ及び近接性配置は、例えば、光学的モニタリング／コントロールシステムによって、モニタリングされることが好ましく、及び自動的にコントロールされることができる。このモニタリング／コントロールシステムは、少なくとも１つの光ファイバーに沿って及び／又は横切って伝達される光を利用し、その光ファイバーを横切る及び／又は光ファイバーの端面から検出される光に基づいて、光ファイバーの正しい位置をモニタリング及び／又はコントロールすることができる。
【００２３】
２つの光ファイバー９の端面が、溶融スプライシングのために、相互に正しく位置合わせされると、スプライシング機構３の（図示しない）電極によってスプライシングが行われる。これは、電気的放電を形成して、局部的に非常に高い温度を生じされることによって、光ファイバーの端面を相互に溶融させるものである。溶融プロセスの間、２つの光ファイバー端面は互いに突き合わされ、正確な、欠陥のない溶融を確保することができる。ピボットスクリーン２５は、スプライシング機構及び光ファイバーを実質的に覆って、電気的放電からオペレータを保護することができるように、フラットな形態に配向される。溶融スプライシングが形成されると、光ファイバーは冷却され、補助部分１５はクランピング・ブロック１１から取り外され、それによって融着された光ファイバーはデバイス１から取り外される。
【００２４】
図４〜６は、本発明のスプライシング・デバイスの第２の好適な態様例を示している。デバイス１は、光ファイバー・スプライシング機構３、光ファイバー・クリービング機構５、電子的コントロールパネル２３、及びピボットスクリーン２５を有している。本発明のこの態様例は、クリービング及びスプライシングされる光ファイバーを保持するクランピング・ブロック１１が互いに実質的に平行になるように、光ファイバー・スプライシング機構３及び光ファイバー・クリービング機構５が実質的に互いに平行に配置されること以外は、図１〜３に示す態様例と同様である。
【００２５】
本発明の第２の態様におけるクリービング機構５は、図５及び６に詳細に示されている。クリービング機構５は二対の光ファイバー・グリッピング部材を有しており、各対の光ファイバー・グリッピング部材は、中央のアンビル２９及びスコアリング・ホイールの形態の光ファイバー・スコアリング・ブレード７のそれぞれの側（又は両側）に配置されている。各対の光ファイバー・グリッピング部材は、固定側グリップ部材３１と、可動側グリップ部材３３を有しており、可動側グリップ部材３３は、電子的コントロールパネル２３によって電子的に（又は電子的制御によって）動作することが好ましい。使用時において、可動側グリップ部材３３は固定側グリップ部材３１から遠ざかっており、光ファイバーを挿入することができるギャップを部材どうしの間に設けている。図５に示すように、クランピング・ブロック１１にクランプされた光ファイバー９は、クリービング機構において、クランピング・ブロック１１の１つの端部から延びる光ファイバーの部分２１が、各対のグリップ部材の可動側グリップ部材３３と固定側グリップ部材３１との間に位置するように配置されている。その後、図６Ａに示すように、各可動側グリップ部材３３はそれぞれ固定グリップ部材３１の方へ移動し、それによって部材どうしの間に光ファイバーがクランプされる。図６Ｂに示すように、スコアリング・ブレード７は光ファイバーの方へ移動して、光ファイバーにスコア（刻み）を形成する。その後、中央のアンビル２９が２つの対のグリップ部材の間の光ファイバーの方へ動いて、光ファイバーを押圧して、２つの対のグリップ部材どうしの間の領域にて、光ファイバーをわずかに偏向させる。図６に示すように、アンビル２９は、光ファイバーに対して実質的に垂直に配向する中央の溝であって、光ファイバーに隣接する溝を有している。光ファイバーは、２つの対のグリップ部材の間で、スコアに対して光ファイバーの両側（即ち、アンビルの溝の両側）にて、光ファイバーを偏向させるアンビル２９によってクリービングされる。そのような偏向によって、スコアから光ファイバーを通りクラックが伝播され、光ファイバーの長軸に対して実質的に垂直な光ファイバーの新しい端面が形成される。光ファイバーに対して移動するスコアリング・ブレード及びそれに続いてアンビル２９によって偏向される光ファイバーの代わりに、スコアリング・ブレードを実質的に固定して、光ファイバーに対してアンビルを押圧することによってスコアリング及びクラックの伝播を達成し、それによってスコアリング・ブレードに対して光ファイバーを押圧することもできる。
【００２６】
図７〜１０は、本発明の好適な光ファイバー・クリービング機構の種々の態様例を示している。図示するクリービング機構は、本発明の第１の要旨のスプライシング・デバイスの部品であってもよいし、又は本発明の第２の要旨のクリービング機構の部品であってもよい。
【００２７】
光ファイバー・クリービング機構５は、スコアリング・ブレード４５（図９を参照されたい）、及び一対の対向するグリップ部材３５を有している。グリップ部材３５は、各ピボットポイント３７のまわりでピボット回転するように設けられており、それらのピボット軸は、グリップ部材によってグリップされる光ファイバー９の長軸に対して実質的に垂直に配向されている。グリップ部材３５は、実際に、それぞれピボットアーム３９及び独立したグリップ部４１を有しており、グリップ部４１は光ファイバー９の最も近くの端部に係合する。クリービング機構が使用中でない場合、グリップ部材３５のピボットアーム３９は、（図８に示す）各スプリング４３によって、図７に矢印Ｐで示す向きとは反対の向きにバイアスがかけられており、対向する２つのグリップ部４１の間にギャップが形成されている。クリービングされる光ファイバーは、例えば図７に示すように、対向するグリップ部４１どうしの間に光ファイバーの端部が延びるようになるまで、挿入シリンダー４３の中に挿入される。クリービング機構が（好ましくは電気的に）動作すると、図７において矢印Ｐで（ピボットするように）示された向きに、ピボットアーム３９が回転する。ピボットアーム３９のこの回転によって、各ピボットアーム３９はそれぞれのグリップ部と連結されるため、グリップ部４１が相互に押される。その結果、グリップ部材３５が光ファイバー９をグリップし、図７において矢印Ｔ（張力(tension))で示す向きに牽引力（pulling force）が適用され、光ファイバーに張力がかかる。光ファイバー９は偏向アンビル４７と共同するスコアリング・ブレード４５によってクリービングされ、一方、光ファイバーにはグリップ部材３５によって適用される張力が保たれる。光ファイバー９のクリービングされた部分は、その後、グリップ部材３５によって排出レセプタクル４９の中に排出される。
【００２８】
図８及び９に示すように、（ダイアモンドブレードであることが好ましい）スコアリング・ブレード４５は、ブレードサポート５１によって保持される。図８、９及び１０には、アンビル４７が示されており、これは図５及び６に示すようなアンビル２９の溝と同じ作用を果たすための溝５３を有している。
【００２９】
本発明のその他の要旨は、欧州特許第０９８５１６０号及び米国特許第６,５７８,７４７号（オックスフォード・光ファイバー社（Ｏｘｆｏｒｄ  Ｆｉｂｅｒ  Ｌｔｄ.）（以下、オックスフォード社とも記載する）と対比することによって理解することができる。オックスフォード社特許は、間隔を置いて配される一対のクランプ手段の間に、ブレード手段及びアンビルを有するクリービングツールに限定されており、そのクランプ手段はそれらの間の光ファイバーを「牽引張力（traction tensioning）」及びグリップ又は保持するものとして記載されている、ということに留意されたい。上記オックスフォード社特許は、１つの静置クランプ手段（５）とアンビル（１０）、又はアンビル（１０）及びクランプ手段（５）の間の限られたスペース（例えば、約１ｍｍ）の中に挿入される更なる部材（２６）とアンビル（１０）のいずれかの密接して隣接する光ファイバー偏向コーナー部どうしの間で曲げられる際に、クリービング・ブレード（１３）が光ファイバーをスコアすることを必要とする。
【００３０】
上記オックスフォード社特許とは反対に、タイコ社（Ｔｙｃｏ）の本出願のクリービングツールは、異なる機構及び有利な機構を提供する。例えば、この出願のクリービング・ブレードは、角運動（angular movement）し得る（以下、「回転可能（rotatable）」とも称する）光ファイバー偏向部材、好ましくは回転可能なダブルアンビルを有しており、（例えば、好ましくは１ｃｍ以上、より好ましくは少なくとも２ｃｍの間隔で）各光ファイバークランプ部材から幅広く離れることができる。このタイコ社のクリービングツール機構は、添付図面の図１１〜１５の例によってより十分に理解することができる。それらの図においては、図７〜１０に既に記載した構成上の特徴が強調されている。
【００３１】
図１１は、回転可能なダブルアンビル・ブロックである、本発明の偏向アンビル４７、及びそれに伴われるクリービング・ブレードサポート５１を示している。（図７を参照してより詳細に説明したクランピング手段と同様のものである）独立したレバー操作されるクランピング手段Ｃが、アンビル／ブレードアセンブリの下方の位置において光ファイバーＦへ牽引張力を適用するように設けられている。
【００３２】
図１４及び１５は、アンビルの他端側（レバー操作されるクランプＣから遠い側）で、光ファイバーＦをグリップする他のクランプ部材６０の開いた状態及び閉じた状態をそれぞれ示している。クランプ６０は、ブレード及びアンビル・アセンブリから、アンビルとクランプＣとの間隔と同程度か又は場合によってそれより大きく離れて設けられている。
【００３３】
図１２及び１３は、タイコ社の発明に係る回転可能なアンビル・アセンブリの操作をより詳細に示している。図１２において、光ファイバーＦは、光ファイバー側方に位置するロッドＲのガイド溝Ｇの中に配されており、従って光ファイバーはトランスバース・アンビル（transverse anvil）１及び２を横切って延びている。ダブルアンビル・ブロックは、アンビルブロックの中に形成されたスロット内で、図示する動作コントロール・ロッドＲ’によって部分的にコントロールされて、矢印Ａの向きに回転することができ、従って、アンビル１を右側から左側へ角運動（若しくはピボット回転運動）させることができ（矢印Ａ’）、及びアンビル２を左側から右側へ角運動（若しくはピボット回転運動）させることができる（矢印Ａ''）。図１３は、そのような角運動（若しくはピボット回転運動）によって、アンビル１及び２の対向して作用するコーナー部分のまわりで光ファイバーＦを曲げた後であって、ブレード６２を動作させて曲げた光ファイバーにスコア及びクリービングを行う準備ができているアセンブリを示している。クリービングの後、アンビルブロックは、スタート位置へ復帰して、クリービングすべき次の光ファイバーを受け入れる準備ができた状態になる。
【００３４】
別法として、回転可能なダブルアンビル・ブロックを、アンビルのいずれか一方が光ファイバーに対して相対的に多少なりとも静置された状態に留まり、他方のアンビルは角運動（若しくはピボット回転運動）して、アンビルの対向して作用するコーナー部分どうしの間で光ファイバーＦを曲げる作用を果たすように設けることもできる。
【００３５】
ロッドＲのガイド溝Ｇは、溝の間で光ファイバーＦの比較的自由な長手方向の動きが可能なような寸法を有する一方で、前述したタイコ社の離れて位置するクランプによって必要な長手方向の牽引力が光ファイバーに適用されるような寸法とすることが好ましい。アンビル／ブレードアセンブリの近くからタイコ社クランプを離れさせることは、図７を参照してより詳細に説明したように、レバー操作されるクランプＣによって、安全に廃棄するための好適なレセプタクルの中に、クリービングした光ファイバーの端部を連続的に入れることを促進する「シューティング（shooting）」作用又は排出作用を提供することを可能にすること、及び、ツールの製造を簡単にすることという技術的利点を有している。
【００３６】
タイコ社の発明に係る光ファイバー偏向構造（fibre-deflecting structure）は、当然のことながら、上述した光ファイバー・クリービング機構のその他のいずれかの特徴とでも組み合わせることができる。
【図面の簡単な説明】
【００３７】
【図１Ａ】図１Ａは、本発明の第１の態様例における手持ち携行式スプライシング・デバイスを示している。
【図１Ｂ】図１Ｂは、本発明の第１の態様例における手持ち携行式スプライシング・デバイスを示している。
【図２Ａ】図２Ａは、本発明の第１の態様例における手持ち携行式スプライシング・デバイスの別の角度の（部分）図を示している。
【図２Ｂ】図２Ｂは、図２Ａの部分の詳細を示している。
【図３Ａ】図３Ａは、本発明の第１の態様例におけるスプライシング・デバイスの更に別の角度の（部分）図を示している。
【図３Ｂ】図３Ｂは、図３Ａの部分の詳細を示している。
【図４Ａ】図４Ａは、本発明の第２の態様例における手持ち携行式スプライシング・デバイスを示している。
【図４Ｂ】図４Ｂは、本発明の第２の態様例における手持ち携行式スプライシング・デバイスを示している。
【図５Ａ】図５Ａは、本発明の第２の態様例における手持ち携行式スプライシング・デバイスの別の角度の（部分）図を示している。
【図５Ｂ】図５Ｂは、図５Ａの部分の詳細を示している。
【図６Ａ】図６Ａは、本発明の第２の態様例におけるスプライシング・デバイスの更に別の角度の（部分）図を示している。
【図６Ｂ】図６Ｂは、図６Ａの部分の詳細を示している。
【図７】図７は、本発明の好ましいクリービング機構の部分破断図を示している。
【図８】図８は、図７に示すクリービング機構の別の角度の図を示している。
【図９Ａ】図９Ａは、図７及び８に示すクリービング機構の別の角度の図を示している。
【図９Ｂ】図９Ｂは、図７及び８に示すクリービング機構の別の角度の図を示している。
【図１０】図１０は、図７に示すクリービング機構の１つの部品の詳細を示している。
【図１１】図１１は、回転可能なダブルアンビル・ブロックを示している。
【図１２】図１２はタイコ社の発明に係る回転可能なアンビル・アセンブリの操作をより詳細に示す図である。
【図１３】図１３もタイコ社の発明に係る回転可能なアンビル・アセンブリの操作をより詳細に示す図である。
【図１４】図１４は、アンビルの他端側で光ファイバーＦをグリップする他のクランプ部材６０の開いた状態及び閉じた状態を示している。
【図１５】図１５も、アンビルの他端側で、光ファイバーＦをグリップする他のクランプ部材６０の開いた状態及び閉じた状態を示している。
【図１Ａ】
2008529097.tif 000003
【図１Ｂ】
2008529097.tif 000004
【図２Ａ】
2008529097.tif 000005
【図２Ｂ】
2008529097.tif 000006
【図３Ａ】
2008529097.tif 000007
【図３Ｂ】
2008529097.tif 000008
【図４Ａ】
2008529097.tif 000009
【図４Ｂ】
2008529097.tif 000010
【図５Ａ】
2008529097.tif 000011
【図５Ｂ】
2008529097.tif 000012
【図６Ａ】
2008529097.tif 000013
【図６Ｂ】
2008529097.tif 000014
【図７】
2008529097.tif 000015
【図８】
2008529097.tif 000016
【図９Ａ】
2008529097.tif 000017
【図９Ｂ】
2008529097.tif 000018
【図１０】
2008529097.tif 000019
【図１１】
2008529097.tif 000020
【図１２】
2008529097.tif 000021
【図１３】
2008529097.tif 000022
【図１４】
2008529097.tif 000023
【図１５】
2008529097.tif 000024
【国際調査報告】
2008529097.tif 000025
2008529097.tif 000026
2008529097.tif 000027
2008529097.tif 000028
2008529097.tif 000029